(57)【特許請求の範囲】
【請求項１】
給水経路から給水された湯水を吐出する吐水口と、
前記給水経路に接続された電磁弁と、
前記吐水口から吐出される湯水を溜めるボウル部に湯水が溜められていることを検知する水溜め検知部と、
検知領域に向けて伝播波を送信し、その反射量に基づいて被検知物体の有り無しを判定して出力する物体検知センサと、
前記物体検知センサの出力に基づいて、前記電磁弁を駆動する電磁弁駆動手段と、
を備えた自動水栓において、
前記物体検知センサは、前記水溜め検知部が検知中には前記被検知物体を有りと判定するまでの判定時間を、前記水溜め検知部が非検知中のときよりも長くする、
ことを特徴とする自動水栓。
【請求項２】
給水経路から給水された湯水を吐出する吐水口と、
前記給水経路に接続された電磁弁と、
前記吐水口から吐出される湯水を溜めるボウル部に湯水が溜められていることを検知する水溜め検知部と、
検知領域に向けて伝播波を送信し、その反射量に基づいて被検知物体の有り無しを判定して出力する物体検知センサと、
前記物体検知センサの出力に基づいて、前記電磁弁を駆動する電磁弁駆動手段と、
を備えた自動水栓において、
前記物体検知センサは、前記水溜め検知部が検知中には最初に前記被検知物体が前記検知領域に入ってきても有りと判定せず、その後、前記被検知物体が前記検知領域を出て、再び前記検知領域に入ってきたときは有りと判定する、
ことを特徴とする自動水栓。
【発明の詳細な説明】
【技術分野】
【０００１】
本発明は、手などの物体を検知するセンサの検知状況に基づいて吐水及び止水を自動的に行う自動水栓において、特に洗面器等のボウル部へ湯水を溜めて使用される自動水栓に関する発明である。
【背景技術】
【０００２】
吐水口の下方に差し出された手等の物体をセンサが検知すると自動で吐水を開始して、センサが物体を検知しなくなると自動で止水する自動水栓が従来から知られている。
この類の自動水栓では、物体を検知するセンサとして赤外線や超音波を用いた反射型センサが一般的に使用されている。
反射型センサを用いた自動水栓では、反射して返ってきた反射波の大きさによって、被検知物体の検知判断をしている。
このような自動水栓を用いて洗面器に水溜めをする技術として、特許文献１が公知となっている。
【０００３】
特許文献１記載の自動水栓装置では、洗面器に静止物が置かれたときの反射波のレベル変動値と、人が手を差し出して静止させているときに生じる反射波のレベル変動値との違いを判別することにより、自動水栓による水溜め行為ができるようにしている。
【先行技術文献】
【特許文献】
【０００４】
【特許文献１】特許第３７５９５４５号
【発明の概要】
【発明が解決しようとする課題】
【０００５】
しかしながら、特許文献１記載の自動水栓装置で一連の水溜め行為を行うには以下のような課題があり、その内容について図１０を用いて説明する。
図１０は、従来の自動水栓装置を示す模式図である。
図１０（ａ）に示すように、物体検知センサ８は検知領域１２を持っていて、その先方に洗面器のボウル部４３があるとすると、検知領域１２はボウル部４３よりも手前に設定されることになる。
そして、物体検知センサ８で人体を検知させて水溜めを行い、水位が図１０（ｂ）で示す水面７６までになった段階で止水する。
【０００６】
ここで、水溜めをした後に行われる行為として、洗濯衣類の漬け置き洗いをすることがある。そして、図１０（ｂ）に示すように、洗濯衣類７７をボウル部４３に放り込むと、洗濯衣類７７は、水面７６付近を漂うことになる。
その結果、洗濯衣類７７が検知領域１２の中に入ってしまい、自動水栓から予期せぬ吐水をしてしまうことがあった。
【０００７】
本発明は、上記課題を解決するためになされたもので、本発明の課題は、ボウル部へ湯水を溜めた後、洗濯衣類などを漬け置き洗いする際に、物体検知センサが洗濯衣類を検知して予期せぬ誤吐水をすることのない自動水栓を提供することにある。
【課題を解決するための手段】
【０００８】
上記目的を達成するために請求項１記載の発明によれば、給水経路から給水された湯水を吐出する吐水口と、前記給水経路に接続された電磁弁と、前記吐水口から吐出される湯水を溜めるボウル部に湯水が溜められていることを検知する水溜め検知部と、検知領域に向けて伝播波を送信し、その反射量に基づいて被検知物体の有り無しを判定して出力する物体検知センサと、前記物体検知センサの出力に基づいて、前記電磁弁を駆動する電磁弁駆動手段と、を備えた自動水栓において、前記物体検知センサは、前記水溜め検知部が検知中には前記被検知物体を有りと判定するまでの判定時間を、前記水溜め検知部が非検知中のときよりも長くする、ことを特徴とする。
これにより、ボウル部へ水溜めをしている状態で洗濯衣類を漬け置き洗いしていても、水面の揺らぎで物体検知センサの検知領域を出たり入ったりする洗濯衣類を検知することがなくなり、予期せぬ誤吐水をすることがなくなる。
【０００９】
また、請求項２記載の発明によれば、給水経路から給水された湯水を吐出する吐水口と、前記給水経路に接続された電磁弁と、前記吐水口から吐出される湯水を溜めるボウル部に湯水が溜められていることを検知する水溜め検知部と、検知領域に向けて伝播波を送信し、その反射量に基づいて被検知物体の有り無しを判定して出力する物体検知センサと、前記物体検知センサの出力に基づいて、前記電磁弁を駆動する電磁弁駆動手段と、を備えた自動水栓において、前記物体検知センサは、前記水溜め検知部が検知中には最初に前記被検知物体が前記検知領域に入ってきても有りと判定せず、その後、前記被検知物体が前記検知領域を出て、再び前記検知領域に入ってきたときは有りと判定する、ことを特徴とする。
これにより、ボウル部へ水溜めを完了している状態で洗濯衣類を放り込んでも、水溜め完了後の最初の物体検知をキャンセルすることで検知し難くして、洗濯衣類が物体検知センサの検知領域を横切っても吐水することがなくなり、予期せぬ誤吐水をすることがなくなる。
【発明の効果】
【００１２】
本発明によれば、ボウル部へ湯水を溜めた後、洗濯衣類などを漬け置き洗いする際に、物体検知センサが洗濯衣類を検知して予期せぬ誤吐水をすることのない自動水栓を提供することができる。
【図面の簡単な説明】
【００１３】
【図１】本発明の第１の実施形態にかかる自動水栓を例示する模式図である。
【図２】第１の実施形態にかかる自動水栓を例示するブロック図である。
【図３】第１の実施形態にかかる操作パネルを例示する模式図である。
【図４】第１の実施形態にかかる自動水栓の動作を示すタイムチャートである。
【図５】第１の実施形態にかかる物体検知センサの検知領域を例示する模式図である。
【図６】第１の実施形態にかかる物体検知センサの送信パワーの調整方法を示す模式図である。
【図７】第２の実施形態にかかる自動水栓の動作を示すタイムチャートである。
【図８】第３の実施形態にかかる自動水栓の動作を示すタイムチャートである。
【図９】水溜め検知にかかる自動水栓の動作を示すタイムチャートである。
【図１０】従来の自動水栓装置を示す模式図である。
【発明を実施するための形態】
【００１４】
以下、本発明の実施の形態について図面を参照しつつ説明する。なお、各図面中、同様の構成要素には同一の符号を付して詳細な説明は適宜省略する。
【００１５】
（第１の実施形態）
まずは、図１、図２、図３を参照しつつ、第１の実施形態による自動水栓の基本構成について説明する。
図１は、本発明の第１の実施形態にかかる自動水栓を例示する模式図である。
図２は、第１の実施形態にかかる自動水栓を例示するブロック図である。
図３は、第１の実施形態にかかる操作パネルを例示する模式図である。
【００１６】
図１に示すように、洗面台１に本発明の実施形態である自動水栓２が設置されている。自動水栓２には、水栓本体４の横に物体検知センサ８が配置されており、この物体検知センサ８により手などの物体を検知して、水栓本体４からの湯水の吐水、止水を切り替えるように構成されている。
なお、本実施形態の自動水栓２は、洗面台１以外にも、例えばキッチンといった、吐水が必要な場所に設置することができる。
【００１７】
図２に示すように、自動水栓２は、給水源２８と、水栓本体４と、物体検知センサ８と、電磁弁２６と、制御部２４とを有している。制御部２４には、電磁弁駆動手段７３が備わっている。
給水源２８からは水又は湯（以下、湯水と呼ぶ）が供給されており、給水経路としての給水ホース５２と給水ホース５３に接続された電磁弁２６を経由して水栓本体４の吐水口３０から湯水が吐水される。
また、排水栓７５を閉めることにより、ボウル部４３に湯水を溜めることができる。排水栓７５を開けておけば、ボウル部４３に湯水は溜まらずに排水口（図示しない）から排出されていく。
【００１８】
物体検知センサ８は、送信部と受信部を備えており、本実施形態では、送信部を赤外の投光素子２０、受信部を赤外の受光素子２２から構成される反射式積分型センサとして説明する。つまり、投光素子２０から発せられる伝播波は赤外の発光波であり、受光素子２２が受信する反射波は赤外の反射光となる。但し、センサの種類はこれに限られるわけではなく、マイクロ波方式センサや超音波式センサや測距式光電センサなどに適宜変更してもよい。
投光素子２０は、ボウル部４３に臨ませて設けられており、所定の投光量の光をボウル部４３に向けて投光する。投光素子２０から投光された光は、ボウル部４３や使用者の手などによって反射され、この反射光を受光素子２２が受光する。
【００１９】
物体検知センサ８は、受光素子２２が受け取った受光レベルの大きさ、即ち反射量の大きさが、予め設定しておいた所定値未満である場合には被検知物体が無しと判定し、所定値以上である場合には被検知物体が有りと判定して、その検知信号を電気信号として、配線５６を通して制御部２４に出力する。
この検知信号は電磁弁駆動手段７３へと渡され、電磁弁駆動手段７３は検知信号を受け取ることによって、電磁弁２６を開駆動して吐水動作を行う。
【００２０】
なお、物体検知センサ８の投光素子２０は、所定の投光軸線方向に赤外線を投光するように構成されており、赤外線の強度は、この投光軸から外れるに従って低下する。本実施形態においては、投光軸線上の赤外線の強度が、半分に低下する、投光軸線を中心軸とする略円錐形状に広がる領域が、物体検知センサ８の検知領域１２として機能している。また、検知領域１２は、投光素子２０の指向性や投光量、人体等の検知と判定する検知レベルなどによって変更することができる。
【００２１】
また、自動水栓２は、水溜め検知部７０を有しており、ボウル部４３に湯水が溜められているか否かを検知する。水溜め検知部７０の構成例を以下に説明する。
１つ目の例は、排水栓７５に磁石を設けて、排水口にリードスイッチを設けた構成である。排水栓７５を閉めたときに排水口のリードスイッチがオンすることで、排水栓７５が閉められたことを検出でき、これから水溜め行為が始まるということが判断できる。
２つ目の例は、排水口に流量センサを設けた構成である。吐水が開始したにも関わらずに、流量センサが検知しなければ、吐水した湯水がボウル部４３に溜まっていると判断できる。
【００２２】
３つ目の例は、ボウル部４３の側面に水位センサを設けた構成である。水位センサがボウル部４３の水面上昇を検知することで、湯水がボウル部４３に溜まっていることが判断できる。
４つ目の例は、ボウル部４３の底部に重量センサを設けた構成である。重量センサがボウル部４３に溜まる水の重さを検出することで、湯水がボウル部４３に溜まっていることが判断できる。
このように水溜め検知部７０を構成することで、自動水栓２は、ボウル部４３に湯水が溜められているか否かを判定することができる。
【００２３】
制御部２４は、洗面台１の下部に設けられており、物体検知センサ８と、電磁弁２６と、水溜め検知部７０とは電気信号を伝送するそれぞれの配線５６と、配線５５と、配線７４とによって接続されている。
なお、制御部２４は、マイクロプロセッサ、メモリ、及びこれらを作動させるプログラム等（以上図示せず）により構成することができる。
【００２４】
更に、図３に示すように、自動水栓２は、吐水モードを切り替えるためのモード切替操作部としてモード切替スイッチ５１と、連続吐水スイッチ６１とを有している。制御部２４は、モード切替スイッチ５１によって切り替えられた吐水モードと連続吐水スイッチ６１の操作に基づいても電磁弁２６を駆動する。
モード切替スイッチ５１と連続吐水スイッチ６１は操作パネル５０に設けられており、モード切替スイッチ５１を押す毎に、吐水モードが自動吐水モードと連続吐水モードに交互に切り替わる。
【００２５】
自動吐水モードとは物体検知センサ８の検知状況に基づいて吐水口３０から吐止水可能な吐水モードのことであり、連続吐水モードとは物体検知センサ８の検知状況に関係なく吐水口３０から吐止水可能な吐水モードのことである。より具体的には、自動吐水モードは、物体検知センサ８が物体を検知すると電磁弁２６を開駆動して吐水し、非検知になると電磁弁２６を閉駆動して止水する。連続吐水モードは、モードに入ると連続吐水スイッチ６１の操作によって電磁弁を開閉駆動する。
【００２６】
以下、本実施形態の具体例について図面を参照しつつ説明する。
図４は、第１の実施形態にかかる自動水栓の動作を示すタイムチャートである。
物体検知センサ８は、先述したように検知領域１２を持っているが、この検知領域１２の範囲を水溜め検知部７０の検知状況によって切り替えている。つまり、期間Ｔ１１では水溜め検知部７０は非検知中であり、このときの検知領域１２の範囲は大きくする。また、期間Ｔ１２では水溜め検知部７０は検知中であり、このときの検知領域１２の範囲は小さくする。
【００２７】
図５は、第１の実施形態にかかる物体検知センサの検知領域を例示する模式図である。
図５（ａ）は、水溜め検知部７０が非検知中における、物体検知センサ８の検知領域１２ａを示しており、図５（ｂ）は、水溜め検知部７０が検知中における、物体検知センサ８の検知領域１２ｂを示している。また、図５（ｂ）では、水面７６の位置まで水溜めをして、そこに漬け置き洗い用の洗濯衣類７７を放り込んでいる状態である。
水溜め検知部７０が検知中における検知領域１２ｂは、水溜め検知部７０が非検知中における検知領域１２ａよりも小さくなっているので、水面７６に浮かんでいる洗濯衣類７７は検知しない。
【００２８】
ここで、物体検知センサ８の検知領域の範囲を変える方法として、伝播波の送信パワーを調整する方法例を、図６を用いて説明する。
図６は、第１の実施形態にかかる物体検知センサの送信パワーの調整方法を示す模式図である。
送信パワーを調整する１つ目の例は、図６（ａ）に示すように、伝播波の送信時間を変える方法である。赤外の発光波で言えば、赤外の発光時間が変わるということであり、発光時間が長ければ送信パワーは大きくなり、発光時間が短くなれば送信パワーは小さくなる。
【００２９】
２つ目の例は、図６（ｂ）に示すように、伝播波の送信強度を変える方法である。赤外の発光波で言えば、赤外の発光強度が変わるということであり、発光強度が高くなれば送信パワーは大きくなり、発光強度が低くなれば送信パワーは小さくなる。
３つ目の例は、図（ｃ）に示すように、伝播波の送信回数を変える方法である。赤外の発光波で言えば、赤外の発光回数が変わるということであり、発光回数が多ければ送信パワーは大きくなり、発光回数が少なければ送信パワーは小さくなる。
これらのように送信パワーを変えることによって、物体検知センサ８の検知領域１２の範囲を変えることが可能となる。
【００３０】
また、送信パワーを変えずに、受信部２２の感度を変えることによっても検知領域１２の範囲を変えることは可能である。例えば、被検知物体有りと判定する反射量のしきい値を変化させることで、検知領域１２の範囲を変えることが可能である。他にも、反射量を増幅演算して処理する場合は、その増幅度を変化させることでも可能である。
このように、送信部２０又は受信部２２の制御を変更することで、物体検知センサ８の検知領域１２の範囲を変化させることは可能である。
【００３１】
以上説明したように、水溜め検知部７０が検知中は物体検知センサ８の検知領域１２を小さくしている。これは、水溜め行為の中で、洗濯衣類７７をボウル部４３に漬け置き洗いする際の誤吐水を防止するためである。
つまり、水溜めをしている状態のボウル部４３に洗濯衣類７７を放り込むと、洗濯衣類７７は溜められた湯水の水面７６付近を漂うことになる。そうなると、物体検知センサ８が通常の検知領域１２ａのままだと浮遊する洗濯衣類７７を検知してしまい、予期せぬ誤吐水がなされてしまうことがある。
【００３２】
そこで、水溜め行為がなされることを水溜め検知部７０で検知し、水溜め検知中は物体検知センサ８の検知領域を通常よりも小さい検知領域１２ｂに変えることで、ボウル部４３に浮遊する洗濯衣類７７を物体検知センサ８が検知することが無くなる。
このようにして、ボウル部４３へ水溜めをしている状態で洗濯衣類７７を漬け置き洗いしていても、物体検知センサ８の検知領域１２を小さくすることで検知し難くして、物体検知センサ８の検知領域１２が水面７６に浮遊する洗濯衣類７７の位置まで及ばなくすることで、洗濯衣類７７を検知することがなくなり、予期せぬ誤吐水をすることがなくなる。
【００３３】
（第２の実施形態）
ここからは、第２の実施形態について説明する。
第２の実施形態による自動水栓２の基本構成については、図１の模式図、図２のブロック図、図３の模式図を参照しつつ説明した内容と同様でよいため、その説明は省略する。
【００３４】
図７は、第２の実施形態にかかる自動水栓の動作を示すタイムチャートである。
水溜め検知部７０が非検知中のとき、物体検知センサ８の検知オンディレイ時間は短く、被検知物体が検知領域１２に入ってくると即座に吐水を開始する（時刻Ｔ２１）。ここで言う検知オンディレイ時間とは、被検知物体が検知領域１２に入ってきてから被検知物体を有りと判定するまでの判定時間のことである。このときの検知オンディレイ時間は、例えば、０．１秒といった短い時間でよい。そして、被検知物体が検知領域１２から出ていくと吐水を終了して止水する（時刻Ｔ２２）。
【００３５】
その後、水溜め検知部７０が水溜めを検知すると、物体検知センサ８の検知オンディレイ時間は長くなる（時刻Ｔ２３）。例えば、この検知オンディレイ時間を１秒とする。そして、検知領域１２に被検知物体が入ってきても即座には吐水を開始しない（時刻Ｔ２４）。１秒を経過する前に被検知物体が検知領域１２から出て行くとそのまま吐水を開始せずに終了する（時刻Ｔ２５）。
そして、再び被検知物体が検知領域１２に入ってきて（時刻Ｔ２６）、その状態が検知オンディレイ時間である１秒が経過した時点で吐水開始する（時刻Ｔ２７）。その後、被検知物体が検知領域１２から出て行くと吐水を終了して止水する（時刻Ｔ２８）。
【００３６】
以上説明したように、水溜め検知部７０が検知中は物体検知センサ８の検知オンディレイ時間を長くしている。これは、水溜め行為の中で、洗濯衣類７７をボウル部４３に漬け置き洗いする際の誤吐水を防止するためである。
つまり、水溜めをしている状態のボウル部４３に洗濯衣類７７を放り込むと、洗濯衣類７７は溜められた湯水の水面７６付近を漂うことになる。そうなると、物体検知センサ８が通常の検知オンディレイ時間のままだと、浮遊する洗濯衣類７７が水面７６の揺らぎで検知領域１２を出たり入ったりすることで検知と非検知を繰り返し、予期せぬ誤吐水を繰り返してしまうことがある。
【００３７】
そこで、水溜め行為がなされることを水溜め検知部７０で検知し、水溜め検知中は物体検知センサ８の検知オンディレイ時間を通常よりも長くすることで、ボウル部４３に浮遊する洗濯衣類７７を物体検知センサ８が検知することが無くなる。
このようにして、ボウル部４３へ水溜めをしている状態で洗濯衣類７７を漬け置き洗いしていても、物体検知センサ８の被検知物体を有りと判定するまでの判定時間を長くすることで検知し難くして、物体検知センサ８の検知領域１２を出たり入ったりする洗濯衣類７７を検知することがなくなり、予期せぬ誤吐水をすることがなくなる。
【００３８】
（第３の実施形態）
ここからは、第３の実施形態について説明する。
第３の実施形態による自動水栓２の基本構成については、図１の模式図、図２のブロック図、図３の模式図を参照しつつ説明した内容と同様でよいため、その説明は省略する。
【００３９】
図８は、第３の実施形態にかかる自動水栓の動作を示すタイムチャートである。
水溜め検知部７０が非検知から検知状態に変わった後（時刻Ｔ３１）、最初に被検知物体が検知領域１２に入ってきても物体検知センサ８は有りの判定はせず、吐水は開始しない（時刻Ｔ３２）。そして、被検知物体が検知領域１２からそのまま出て行くと吐水を開始せずに終了する（時刻Ｔ３３）。その後、再び被検知物体が検知領域１２に入ってきたときは、物体検知センサ８は有りの判定をして、吐水を開始する（時刻Ｔ３４）。そして、被検知物体が検知領域１２から出ていくと吐水を終了して止水する（時刻Ｔ３５）。
【００４０】
以上説明したように、水溜め検知部７０が検知してから最初に物体検知センサ８の検知領域１２に被検知物体が入ってきても吐水はしない。これは、水溜め行為の中で、洗濯衣類７７をボウル部４３に放り込んだ際の誤吐水を防止するためである。
つまり、水溜めを完了した後にボウル部４３に洗濯衣類７７を放り込んだとき、洗濯衣類７７はどうしても検知領域１２を横切ってしまう。そうなると、洗濯衣類７７が検知領域１２を横切ったタイミングで洗濯衣類７７を検知してしまい、予期せぬ誤吐水がなされてしまうことがある。
【００４１】
そこで、水溜め行為がなされたことを水溜め検知部７０で検知し、水溜め完了後から最初に検知領域１２に被検知物体が入ってきても吐水しないようにすることで、洗濯衣類７７がボウル部４３へ放り込まれるタイミングで吐水することが無くなる。
このようにして、ボウル部４３へ水溜めを完了している状態で洗濯衣類７７を放り込んでも、水溜め完了後の最初の被検知物体検知をキャンセルすることで検知し難くして、洗濯衣類７７が検知領域１２を横切っても吐水することがなくなり、予期せぬ誤吐水をすることがなくなる。
【００４２】
ここからは、水溜め検知の変形例について図９に基いて説明する。
図９は、水溜め検知にかかる自動水栓の動作を示すタイムチャートである。
連続吐水スイッチ６１などで、ボウル部４３への水溜めを開始し（時刻Ｔ４１）、水溜めが完了した時点で吐水を終了して止水する（時刻Ｔ４２）。この時刻Ｔ４１から時刻Ｔ４２までの間に、物体検知センサ８が一度も検知しなければ水溜めがなされたと判断する（時刻Ｔ４２）。これにより、特別なセンサや機構を設けることなく、吐水パターンと物体検知センサ８の検知情報で水溜め行為を検出できるので、コストを削減できる。
その後、被検知物体が検知領域１２に入ってきたときは吐水を開始し（時刻Ｔ４３）、検知領域１２から出ていったときは吐水を終了して止水する（時刻Ｔ４４）。
【００４３】
以上説明したように、吐水中に物体検知センサ８が一度も検知しなければ水溜め行為がなされたと判断している。これは、水溜め検知用に特別なセンサや機構を設けずに、吐水パターンと物体検知センサ８の検知情報によって、水溜め行為を検出するためである。
つまり、吐水中にも関わらず、検知領域１２に被検知物体が入ってこないということは、その行為は手洗いや洗顔といった洗浄行為ではなく、ただ湯水を吐水させているだけの行為、即ちボウル部４３に湯水を溜めている行為だと判断しても差し支えない。
このようにして、特別なセンサや機構を設けることなく、吐水パターンと物体検知センサ８の検知情報で水溜め行為を検出できるので、コストを削減できる。
【００４４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。
例えば、自動水栓２などが備える各要素の形状、寸法、材質、配置などや物体検知センサ８、水溜め検知部７０の設置形態などは、例示したものに限定されるわけではなく適宜変更することができる。
【００４５】
また、前述した各実施の形態が備える各要素は、技術的に可能な限りにおいて組み合わせることができ、これらを組み合わせたものも本発明の特徴を含む限り本発明の範囲に包含される。
例えば、第２の実施形態と第３の実施形態を組み合わせた制御も本発明の特徴から容易に発明可能である。
【符号の説明】
【００４６】
１…洗面台
２…自動水栓
４…水栓本体
８…物体検知センサ
１２…検知領域
１２ａ…検知領域
１２ｂ…検知領域
２０…投光素子（送信部）
２２…受光素子（受信部）
２４…制御部
２６…電磁弁
２８…給水源
３０…吐水口
４３…ボウル部
５０…操作パネル
５１…モード切替スイッチ
５２、５３…給水ホース（給水経路）
５５…配線
５６…配線
６１…連続吐水スイッチ
７０…水溜め検知部
７３…電磁弁駆動手段
７４…配線
７５…排水栓
７６…水面
７７…洗濯衣類
【図１】
0005787271.tif 000002
【図２】
0005787271.tif 000003
【図３】
0005787271.tif 000004
【図４】
0005787271.tif 000005
【図５】
0005787271.tif 000006
【図６】
0005787271.tif 000007
【図７】
0005787271.tif 000008
【図８】
0005787271.tif 000009
【図９】
0005787271.tif 000010
【図１０】
0005787271.tif 000011